(57)【要約】【課題】受信画像情報全体を把握することが容易であり、また、受信画像情報を１枚ずつ表示部に表示する場合、１つの受信画像情報が複数枚に及んでも、全体を把握することが容易であり、しかも、１つの受信画像情報が複数枚に及んでも、必要なページのみを印字することができる画像通信装置を提供することを目的とするものである。【解決手段】受信した受信画像情報を表示する表示手段と、複数の相手から受信した受信画像情報を、時系列で管理し、記憶する記憶手段と、上記複数の受信画像情報を、時系列に準じて、上記表示手段に、順次表示させる表示制御手段とを有することを特徴とする画像通信装置である。【選択図】  図１
2004228646.tif 000002
【特許請求の範囲】
【請求項１】
受信した受信画像情報を表示する表示手段と；
複数の相手から受信した受信画像情報を、時系列で管理し、記憶する記憶手段と；
上記複数の受信画像情報を、時系列に準じて、上記表示手段に、順次表示させる表示制御手段と；
を有することを特徴とする画像通信装置。
【発明の詳細な説明】
【０００１】
【発明の属する技術分野】
本発明は、複数の受信画像情報を表示する機能を有するファクシミリ装置であり、その受信画像情報を選択し、印字動作を行なうファクシミリ装置等の画像通信装置に関するものである。
【０００２】
【従来の技術】
従来のファクシミリ装置の中には、受信画像情報を画像メモリに蓄積し、これをユーザが操作し、それぞれの画像情報の通信元やヘッダ情報内容を、表示部に表示させ、その表示内容に応じて印字動作を行ない、また印字する必要のないと思われる受信画像情報を、そのまま消去するファクシミリ装置が存在する。
【０００３】
また、受信画像情報の１枚の画像を、表示部に表示するファクシミリ装置が存在し、複数の枚数に及ぶ受信画像情報を、表示部で確認する場合、ユーザが操作することによって、１枚ずつページ送りするようなファクシミリ装置も存在している。
【０００４】
そして、１つの受信画像情報が複数枚に及ぶ場合、印字動作を行なうと、複数枚の受信画像情報の全てを印字するように構成されている。
【０００５】
【発明が解決しようとする課題】
しかし、上記従来例のファクシミリ装置では、通信元の情報やヘッダ情報を表示部に表示するので、受信画像情報全体を把握することが困難であるという問題がある。
【０００６】
また、上記従来のファクシミリ装置では、受信画像情報を１枚ずつ表示部に表示する場合、１つの受信画像情報が複数枚に及ぶと、全体を把握することが困難であるという問題がある。
【０００７】
さらに、上記従来のファクシミリ装置では、１つの受信画像情報が複数枚に及ぶ場合、印字動作を行なうと、必要なページのみを印字することができず、複数枚全てを印字せざるを得ないという問題がある。
【０００８】
本発明は、受信画像情報全体を把握することが容易であり、また、受信画像情報を１枚ずつ表示部に表示する場合、１つの受信画像情報が複数枚に及んでも、全体を把握することが容易であり、しかも、１つの受信画像情報が複数枚に及んでも、必要なページのみを印字することができる画像通信装置を提供することを目的とするものである。
【０００９】
【課題を解決するための手段】
本発明は、受信した受信画像情報を表示する表示手段と、複数の相手から受信した受信画像情報を、時系列で管理し、記憶する記憶手段と、上記複数の受信画像情報を、時系列に準じて、上記表示手段に、順次表示させる表示制御手段とを有することを特徴とする画像通信装置である。
【００１０】
【発明の実施の形態および実施例】
図１は、本発明の一実施例であるファクシミリ装置ＦＳ１を示すブロック図である。
【００１１】
ファクシミリ装置ＦＳ１は、ＣＰＵ１と、ＲＯＭ２と、ＲＡＭ３と、不揮発性ＲＡＭ４と、モデム部５と、ＮＣＵ部６と、画像記憶部７と、Ｃ．Ｇ部８と、順次表示制御部９と、表示制御部１０と、表示部１１と、操作部１２と、記録部１３と、読取部１４と、電源部１５とを有する。
【００１２】
ＣＰＵ１は、ＲＯＭ２に格納された制御プログラムに従って、装置全体を制御する。
【００１３】
ＲＡＭ３は、ＣＰＵ１のワークエリアとして使用されるとともに、各種データが格納される。
【００１４】
不揮発性ＲＡＭ４は、操作部１２を介して入力された各種データを格納する等、電源部１５がＯＦＦしても格納されたデータを記憶している。
【００１５】
ＮＣＵ部６は、網制御を行なうものであり、回線１６とモデム部５との間におけるデータの送信受信動作を制御する。
【００１６】
モデム部５は、回線１６からの受信データや回線１６に送出する送信データの変復調動作を行なう。
【００１７】
操作部１２は、１０Ｋｅｙ、ファンクションＫｅｙを具備し、ユーザが各種入力動作を行なうものである。
【００１８】
読取部１４は、原稿から画像を読み取り、記録部１３は、受信画像情報を印字し、読取部１４で読み取られた画像を印字するものである。
【００１９】
画像記憶部７には、回線１６を介して受信した受信画像情報を、時系列で記憶する。
【００２０】
Ｃ．Ｇ部８は、キャラクタージェネレータであり、表示制御部１０にデータを送る。
【００２１】
順次表示制御部９は、画像記憶部７に記憶されている受信画像情報を、順次表示（スクロール表示）するための制御動作を行なう。
【００２２】
表示制御部１０は、表示部１１に文字や絵を含む受信画像情報を表示するための制御を行なう。
【００２３】
次に、上記実施例の動作について説明する。
【００２４】
図２は、上記実施例の動作を示すフローチャートである。
【００２５】
回線１６を介して、相手ファクシミリ装置と通信動作を行ない、受信画像情報を受信した場合について説明する。
【００２６】
スタンバイ（Ｓ１）した後に、受信画像情報を受信していなければ（Ｓ２）、受信画像情報が１件もない旨を示す表示を、表示部１１で行う（Ｓ３）。
【００２７】
一方、受信画像情報を受信していれば（Ｓ２）、受信時刻のデータを添付し（Ｓ４）、受信画像情報を表示部１１に表示し（Ｓ５）、受信画像情報が２件以上あるか否かを判断する（Ｓ６）。受信画像が２件以上あれば、各受信時刻のデータを添付し（Ｓ７）、受信画像情報を受信時刻に従って表示部１１に表示し（Ｓ８）、ユーザが受信画像情報を確認したか否かを判断する（Ｓ９）。
【００２８】
ユーザが受信画像情報を確認し（Ｓ９）、受信画像情報を印字することを、ユーザが指示すれば（Ｓ１０）、その受信画像情報を記録部１３が印字する（Ｓ１１）。
【００２９】
受信画像情報を画像記憶部７から消去してもよいとユーザが判断すると（Ｓ１２）、画像記憶部７から受信画像情報を消去する（Ｓ１３）。
【００３０】
つまり、受信画像情報は、ＮＣＵ部６を介してモデム部５に入力され、モデム部５でデジタルデータに復調され、この受信画像データが、画像記憶部７に記憶される。このときに、受信時刻データを付加し、画像記憶部７に記憶される。
【００３１】
画像記憶部７に記憶された受信画像情報は、表示制御部１０によって表示データに変換され、表示部１１にその内容が表示される。同様に、Ｃ．Ｇ部８が、受信時刻を示す記号データ（たとえば、「ＡＭ１０：３０受領」等の記号データ）を、表示制御部１０に出力し、表示部１１に表示されている受信画像情報に同期させて表示する。
【００３２】
次の相手から、画像情報を受信すると、上記と同様に、画像記憶部７に記憶し、Ｃ．Ｇ部８から受信した受信時刻を示す記号データと合わせて出力し、また、順次表示制御部９が制御信号を表示制御部１０に出力し、表示部１１に時系列で、順次、表示する。つまり、受信時刻の順番を示す記号と時刻とを表示しながら、受信画像情報を、順次、表示する。
【００３３】
図３は、上記実施例において、受信した２件の画像情報が、時系列に準じて表示されている例を示す図である。
【００３４】
１件目の受信画像情報（画像情報の上部に記載されている日付の左に▲１▼が付されている画像情報）には、受信時刻「２００２／１１／１１；ＡＭ１０：１０」が表示され、２件目の受信画像情報（画像情報の上部に記載されている日付の左に▲２▼が付されている画像情報）には、受信時刻「２００２／１１／１１；ＰＭ１１：１１」が表示される。
【００３５】
１件目の受信画像情報は、３ページで構成され、図３中、上部には、１件目の受信画像のうちのページ；１／３の後半とその２／３の前半が表示されている。図３中、上部の画面例が表示されているときに、「次件」Ｋｅｙを押下すると、次の受信画像情報である２件目の受信画像情報を表示する。「次件」Ｋｅｙを押下すると、１件目の受信画像情報を表示中であっても、２件目の受信画像情報の１ページ目にスキップし、表示することができる。
【００３６】
なお、２件目の受信画像の受信時刻は、１件目の受信画像の受信時刻よりも遅いので、１件目の受信画像の次に、２件目の受信画像が表示される。
【００３７】
図４は、図３中、上部の画面例を表示しているときに、スクロールキー（図５の操作部における下向きの矢印キー）を押した場合の表示例を示す図である。
【００３８】
図５は、上部に、１件目の受信画像情報のページ；１／３が記載され、下部に、１件目の受信画像情報のページ；１／３の後半と、１件目の受信画像情報のページ；２／３の前半とが記載されている図である。
【００３９】
図５中、上部に記載されている状態で、スクロール表示すると、図５中、下部に記載されている１件目の受信画像情報のページ；１／３の後半と１件目の受信画像情報のページ；２／３の前半とが表示される。
【００４０】
以上が、上記実施例において、複数の受信画像情報を時系列に準じて表示する動作の説明である。
【００４１】
次に、表示されている複数の受信画像情報の中から、１つの受信画像情報を選択し、表示し、さらに印字する動作について説明する。
【００４２】
上記のように、表示部１１に、複数の受信画像情報が順次表示され、ユーザが所望する受信画像情報が表示部１１に表示されているときに、操作部１２に設けられている受信画像情報を選択するＫｅｙである「選択」Ｋｅｙを押下する。このように、操作部１２に設けられている「選択」Ｋｅｙが押下されると、ＣＰＵ１が、画像記憶部７、Ｃ．Ｇ部８、順次表示制御部９を制御し、選択された受信画像情報を、表示部１１に表示するように制御する。
【００４３】
これによって、ユーザは、選択した受信画像情報を、表示部１１で目視によって確認することができる。
【００４４】
なお、選択された受信画像情報が複数枚に及ぶ場合、その枚数分の画像情報（最初のページから最終ページまでの枚数分の受信画像情報）を、表示部１１に順次、表示する。
【００４５】
この場合、表示部１１には、受信番号を示す数字と受信日時とを、最終ページの表示が終了するまで、表示し続ける。
【００４６】
上記のように、複数枚に及ぶ受信画像情報の中から、所望の１枚の受信画像情報を、ユーザが選択し、表示する場合、操作部１２に設けられている「選択」Ｋｅｙを押下することによって、ＣＰＵ１が制御し、所望の１ページの受信画像情報を、表示部１１に表示することができる。
【００４７】
次に、所望の受信画像情報を、表示部１１に表示した後に、印字する動作について説明する。
【００４８】
上記のように、ユーザが、所望の受信画像情報を表示部１１に表示させた後に、その内容を印字する場合、操作部１２に設けられている「印刷」Ｋｅｙを押下する。
【００４９】
操作部１２において「印刷」Ｋｅｙが押下されると、ＣＰＵ１が検出し、画像記憶部７、Ｃ．Ｇ部８、記録部１３を制御し、画像記憶部７から記録部１３に画像データを転送し、Ｃ．Ｇ部８から記録部１３に時刻表示データを転送する。
【００５０】
記録部１３は、これら転送されたデータを印字する。
【００５１】
ここでも、選択された受信画像情報が複数枚に及ぶ場合には、そのページ分の受信画像情報を印字する。
【００５２】
複数のページの中から１枚の受信画像情報が選択されていた場合、記録部１３では、上記選択されている１枚の受信画像情報のみを印字する。
【００５３】
なお、ファクシミリ装置としての送信・受信自体の動作は、従来例と同様であるので、その説明を割愛してある。
【００５４】
なお、上記実施例を、通信機能を具備するパソコン等、ファクシミリ装置以外の画像通信装置に適用するようにしてもよい。
【００５５】
また、上記実施例を、次の実施形態として把握することができる。
【００５６】
［実施形態１］  受信した受信画像情報を表示する表示手段と；
複数の相手から受信した受信画像情報を、時系列で管理し、記憶する記憶手段と；
上記複数の受信画像情報を、時系列に準じて、上記表示手段に、順次表示させる表示制御手段と；
を有することを特徴とする画像通信装置。
【００５７】
［実施形態２］  実施形態１において、
上記表示制御手段は、上記表示手段に時系列に準じて表示されている複数の受信画像情報の中から、１つの受信情報を選択する選択操作手段を具備する手段であり、上記選択操作手段によって選択された受信画像情報を上記表示手段に表示し続けることを特徴とする画像通信装置。
【００５８】
［実施形態３］  実施形態１において、
上記表示手段に時系列に準じて表示されている複数の受信画像情報の中から、印字する受信画像情報を選択する選択手段と；
選択された受信画像情報を印字する手段と；
を有することを特徴とする画像通信装置。
【００５９】
［実施形態４］  実施形態２において、
上記表示制御手段は、上記選択操作手段によって選択された１つの受信画像情報を上記表示手段に表示させる手段であり、
上記受信画像情報が複数枚に及ぶ場合、上記複数枚の受信画像情報のいずれかを選択する選択手段を具備し、
上記表示制御手段は、上記選択手段によって選択された受信画像情報を上記表示部に表示させる手段であり、
上記表示部に表示されている受信画像情報を印字する印字手段を具備することを特徴とする画像通信装置。
【００６０】
［実施形態５］  実施形態１〜実施形態４において、
上記画像通信装置は、ファクシミリ装置であることを特徴とする画像通信装置。
【００６１】
【発明の効果】
本発明によれば、受信画像情報全体を把握することが容易であり、また、受信画像情報を１枚ずつ表示部に表示する場合、１つの受信画像情報が複数枚に及んでも、全体を把握することが容易であり、しかも、１つの受信画像情報が複数枚に及んでも、必要なページのみを印字することができるという効果を奏する。
【図面の簡単な説明】
【図１】本発明の一実施例であるファクシミリ装置ＦＳ１を示すブロック図である。
【図２】上記実施例の動作を示すフローチャートである。
【図３】上記実施例において、受信した２件の画像情報が、時系列に準じて表示されている例を示す図である。
【図４】図３中、上部の画面例を表示しているときに、スクロールキー（図５の操作部における下向きの矢印キー）を押した場合の表示例を示す図である。
【図５】上部に、１件目の受信画像情報のページ；１／３が記載され、下部に、１件目の受信画像情報のページ；１／３の後半と、１件目の受信画像情報のページ；２／３の前半とが記載されている図である。
【符号の説明】
ＦＳ１…ファクシミリ装置、
１…ＣＰＵ、
２…ＲＯＭ、
４…不揮発性ＲＡＭ、
７…画像記憶部、
９…順次表示制御部、
１０…表示制御部、
１１…表示部、
１２…操作部。
【図１】
2004228646.tif 000003
【図２】
2004228646.tif 000004
【図３】
2004228646.tif 000005
【図４】
2004228646.tif 000006
【図５】
2004228646.tif 000007